(57)【要約】【課題】取扱が便利なだけでなく、安全で信頼性も高い電池接続装置を提供する。【解決手段】本発明は電池接続装置である。絶縁材料で制作し、電池極端の接続ブロックに取り付け、接続ブロックの両端にそれぞれ直列接続構造を設け、接続ブロックの周囲にそれぞれ並列接続構造を設け、直接接続構造に電池の極端電気と接続した導電片を設け、導電片も並列接続構造の釣合面まで伸ばし、別々に接続ブロックを２個取り付けた電池を並列させた時、２個接続ブロックの導電片を電気接続する。本発明は各単体電池を積木のようにモジュール化直列或いは並列接続することができる。接続した電池組は電極間の溶接接続と電池間の組合固定をする必要はない。本発明は取扱が便利で、安全で信頼性も高い。【選択図】図１
2010086965.tif 000002
【特許請求の範囲】
【請求項１】
絶縁材料で制作し、
電池（１）極端の接続ブロック（２）に取り付け、
接続ブロック（２）の両端にそれぞれ直列接続構造を設け、
接続ブロック（２）の周囲にそれぞれ並列接続構造を設け、
直接接続構造に電池（１）の極端電気と接続した導電片（３）を設け、
導電片（３）も並列接続構造の釣合面まで伸ばし、
別々に接続ブロック（２）を取り付けた電池（１）を２個並列させた時、２個接続ブロック（２）の導電片（３）を電気接続することを特徴とする電池接続装置。
【請求項２】
前記直列接続構造は、接続ブロック（２）の二端面に設置された第一挿入溝（２１）と第二挿入溝（２２）とし、
第一挿入溝（２１）は電池（１）が直接に挿入することに使い、
第二挿入溝（２２）の中に導電片（３）があり、
導電片（３）は第一挿入溝（２１）の中の電池（１）と電気接続し、直列する時、もう１つの電池（１）の極端を、導電片（３）を有する第二挿入溝（２２）に挿入することを特徴とする請求項１に記載の電池接続装置。
【請求項３】
前記並列接続装置は、接続ブロック（２）の４つ側面に設置された２つの蟻溝（２３）と蟻ブロック（２４）とし、
導電片（３）はそれぞれ蟻溝（２３）或いは蟻ブロック（２４）の釣合面まで伸ばし、並列する時、同様に接続ブロック（２）と導電片（３）の複数電池（１）を取り付けて蟻溝（２３）と蟻ブロック（２４）で挿入固定し、
電池（１）の間に導電片（３）で電気接続することを特徴とする請求項２に記載の電気接続装置。
【請求項４】
前記第一挿入溝（２１）と第二挿入溝（２２）の間に間隔リング（２５）を設け、
間隔リング（２５）は接続ブロック（２）と一体となり、
間隔リング（２５）の真ん中に貫通穴（２６）を設け、
導電片（３）の真ん中に透かし彫りし、
透かし彫り部に第一挿入溝（２１）へ突き出ている接触片（３１）を２本設け、
接触片（３１）は、貫通穴（２６）と第一挿入溝（２１）に挿入した電池（１）で溶接し、
接続ブロック（２）は導電片（３）と電池（１）の間に挟まれた間隔リング（２５）が電池（１）と相対的に固定することを特徴とする請求項２または３に記載の電気接続装置。
【請求項５】
前記導電片（３）の周縁に外へ曲がって成型したクリップ（３２）を複数設け、
導電片（３）の第二挿入溝（２２）に挿入した電池（１）をクリップ（３２）で固定し、且つ電気接続することを特徴とする請求項４に記載の電池接続装置。
【請求項６】
蟻溝（２３）或いは蟻ブロック（２４）の釣合面とクリップ（３２）の間にＵ形引出片（３３）を挿入しており、
Ｕ形引出片（３３）の１つの足がクリップ（３２）と第二挿入溝（２２）の側板の間に挿入し、且つクリップ（３２）と電気接続し、もう１つの足は蟻溝（２３）或いは蟻溝ブロック（２４）の釣合面にあり、並列する時、蟻溝（２３）或いは蟻ブロック（２４）の釣合面にあるＵ形引出片（３３）の１つの足ともう１つの電池（１）に取り付けたＵ形引出片（３３）の１つの足と電気接続することを特徴とする請求項５に記載の電池接続装置。
【請求項７】
Ｕ形引出片（３３）の２つの足に外凸の弾性片（３４）をそれぞれ挿入することを特徴とする請求項６に記載の電池接続装置である。
【発明の詳細な説明】
【技術分野】
【０００１】
本発明は電池接続装置に関するものである。
【背景技術】
【０００２】
バッテリーは用途が極めて広い電源であり、負荷が必要な電圧と容量の要求により、複数の単体電池を使って直並列組合せ、直列で電圧を向上し、並列で容量を向上する。
【０００３】
現在の方法は、まず一定数量の単体電池の全てのプラス極を母線でつなげ、またもう１つの母線で全てのマイナス極をつなげることによって並列分岐となる。複数の並列分岐に相応する同じ位置の単体電池をプラスマイナス極の順番により接続し、複数の直列分岐となる。これは複数単体電池の直並列組合せとなった。
【０００４】
それで、母線と電池プラスマイナスの溶接、及び電池間の固定はバッテリー或いは電池組を組み合わせるために必須のステップであり、且つ取扱も面倒であり、安全性も悪い。
【発明の概要】
【発明が解決しようとする課題】
【０００５】
本発明は電池接続装置であり、積木のように各単体電池をモジュール化直列或いは並列接続することができる。接続した電池組は電極間の溶接接続と電池間の組合固定をする必要はない。取扱が便利なだけでなく、安全で信頼性も高い。そして、如何なる組合せを行って様々なバッテリーと電池組の電圧と容量の要求に応えられる。
【課題を解決するための手段】
【０００６】
本発明は電池接続装置である。当該装置に絶縁材料で制作して電池の極端に取り付けた接続ブロックがある。接続ブロックの両端にそれぞれ直列接続構造があり、接続ブロックの周囲にそれぞれ並列接続構造があり、直列接続構造に電池の極端と電気接続する導電片があり、導電片が並列接続構造の釣合面まで伸ばし、接続ブロックを別々に取り付けた２つの電池を並列する時、２つの接続ブロックの導電片を電気接続する。
【０００７】
〔本発明についての詳細な技術方案〕
本発明は電池接続装置である。当該装置に絶縁材料で制作して電池の極端に取り付けた接続ブロックがある。接続ブロックの両端にそれぞれ直列接続構造があり、接続ブロックの周囲にそれぞれ並列接続構造があり、直列接続構造に電池の極端と電気接続する導電片があり、導電片が並列接続構造の釣合面まで伸ばし、接続ブロックを別々に取り付けた２つの電池を並列する時、２つの接続ブロックの導電片を電気接続する。前記直列接続構造は接続ブロックの二端面に設置された第一挿入溝と第二挿入溝とし、第一挿入溝は電池が直接に挿入することに使い、第二挿入溝の中に導電片があり、導電片は第一挿入溝の中の電池と電気接続し、直列する時、もう１つの電池の極端を、導電片を有する第二挿入溝に挿入する。前記並列接続装置は接続ブロックの４つの側面に設置された２つの蟻溝と蟻ブロックとし、導電片はそれぞれ蟻溝或いは蟻ブロックの釣合面まで伸ばし、並列する時、同様に接続ブロックと導電片の複数電池を取り付けて蟻溝と蟻ブロックで挿入固定する。電池の間に導電片で電気接続する。
【０００８】
〔本発明についてのさらに詳細な技術法案〕
本発明は電池接続装置である。当該装置に絶縁材料で制作して電池の極端に取り付けた接続ブロックがある。接続ブロックの両端にそれぞれ直列接続構造があり、接続ブロックの周囲にそれぞれ並列接続構造があり、直列接続構造に電池の極端と電気接続する導電片があり、導電片が並列接続構造の釣合面まで伸ばし、接続ブロックを別々に取り付けた２つの電池を並列する時、２つの接続ブロックの導電片を電気接続する。前記直列接続構造は接続ブロックの二端面に設置された第一挿入溝と第二挿入溝とし、第一挿入溝は電池が直接に挿入することに使い、第二挿入溝の中に導電片があり、導電片は第一挿入溝の中の電池と電気接続し、直列する時、もう１つの電池の極端を、導電片を有する第二挿入溝に挿入する。前記並列接続装置は接続ブロックの４つの側面に設置された２つの蟻溝と蟻ブロックとし、導電片はそれぞれ蟻溝或いは蟻ブロックの釣合面まで伸ばし、並列する時、同様に接続ブロックと導電片の複数電池を取り付けて蟻溝と蟻ブロックで挿入固定する。電池の間に導電片で電気接続する。前記第一挿入溝と第二挿入溝の間に間隔リングを設け、間隔リングは接続ブロックと一体となり、間隔リングの真ん中に貫通穴を設け、導電片の真ん中に透かし彫りし、透かし彫り部に第一挿入溝へ突き出ている接触片を２本設ける。接触片は貫通穴と第一挿入溝の電池で溶接する。接続ブロックは導電片と電池の間に挟まれた間隔リングが電池と相対的に固定する。前記導電片の周縁に外へ曲がって成型したクリップを複数設け、導電片の第二挿入溝に挿入した電池をクリップで固定し、且つ電気接続する。
【０００９】
前記技術方案において、蟻溝或いは蟻ブロックの釣合面とクリップとの間にＵ形引出片を挿入し、Ｕ形引出片の１つの足をクリップと第二挿入溝の側板の間に挿入し、且つクリップと電気接続する。もう１つの足は蟻溝或いは蟻ブロックの釣合面にあり、並列する時、蟻溝或いは蟻ブロックの釣合面にあるＵ形引出片の１つの足ともう１つの電池に取り付けたＵ形引出片の１つの足と電気接続する。前記Ｕ形引出片の２つの足にそれぞれ外凸の弾性片を設ける。
【発明の効果】
【００１０】
本発明は接続ブロック及び導電片を利用して各単体電池を積木のようにモジュール化直列或いは並列接続することができる。接続した電池組は電極間の溶接接続と電池間の組立固定をする必要はない。
【００１１】
また、本発明は取扱が便利なだけでなく、安全で信頼性が高い。そして、如何なる組合せを行って様々なバッテリーと電池組の電圧と容量の要求に応えられる。
【図面の簡単な説明】
【００１２】
【図１】本発明の実施例に係る構造説明図（Ｕ形引出片を示さず）である。
【図２】本発明の実施例に係る組立説明図（Ｕ形引出片を１つだけ示した）である。
【図３】本発明の実施例に係る、もう１つの視角範囲にある組立説明図（Ｕ形引出片を１つだけ示した）である。
【図４】本発明の実施例に係る接続ブロックの構造説明図である。
【図５】本発明の実施例に係る導電片の構造説明図である。
【図６】２つの電池が本発明の実施例において直列した応用説明図である。
【図７】２つの電池が本発明の実施例において並列した応用説明図である。
【発明を実施するための形態】
【００１３】
以下では図面及び実施例により本発明をさらに記述する。
【００１４】
〔実施例〕
図１〜図７に示したように、電池接続装置であり、当該装置に絶縁材料で制作して電池１の極端に取り付けた接続ブロック２がある。接続ブロック２の両端にそれぞれ直列接続構造があり、接続ブロック２の周囲にそれぞれ並列接続構造がある。
【００１５】
前記並列接続装置は接続ブロック２の４つ側面に設置された２つの蟻溝２３と蟻ブロック２４とし、前記直列接続構造は接続ブロック２の二端面に設けた第一挿入溝２１と第二挿入溝２２とし、第一挿入溝２１は電池１が直接に挿入することに使い、第二挿入溝２２に導電片３がある。前記第一挿入溝２１と第二挿入溝２２との間に間隔リング２５がある。間隔リング２５と接続ブロック２と一体となる。間隔２５の真ん中に貫通穴２６がある。
【００１６】
前記導電片３の真ん中に透かし彫りし、透かし彫り部に第一挿入溝２１へ突き出ている接触片３１を２本設ける。接触片３１は貫通穴２６と第一挿入溝２１の電池１で溶接する。接続ブロック２は導電片３と電池１の間に挟まれた間隔リング２５が電池１と相対的に固定する。前記導電片３の周縁に外へ曲がって成型したクリップ３２を複数設け、導電片３の第二挿入溝２２に挿入した電池１をクリップ３２で固定し、且つ電気接続する。
【００１７】
蟻溝２３或いは蟻ブロック２４の釣合面とクリップ３２の間にＵ形引出片（Ｕ引出片）３３を挿入しており、Ｕ形引出片３３の１つの足がクリップ３２と第二挿入溝２２の側板の間に挿入し、且つクリップ３２と電気接続する。もう１つの足は蟻溝２３或いは蟻溝ブロック２４の釣合面にあり、Ｕ形引出片３３の２つの足にそれぞれ外凸の弾性片３４を設ける。
【００１８】
図６に示したように、直列する時、電池１の極端が導電片３を設けた第二挿入溝２２に挿入し、且つクリップ３２、導電片３、接触片３１で第一挿入溝２１に挿入した電池１と直列接続する。
【００１９】
図７に示したように、並列する時、同様に接続ブロック２と導電片３を取り付けた複数電池１が蟻溝２３と蟻ブロック２４で挿入固定する。２つの電池１の間に弾性片３４、Ｕ形引出片３３、クリップ３２、導電片３、接触片３１で電気接続する。
【００２０】
実施例において、Ｕ形引出片３３で導電片３を蟻溝２３或いは蟻ブロック２４の釣合面まで伸ばし、２つの電池１を接続ブロック２で並列する時に電気接続する。但し、実際の使用時においては、その他の様々な設計でこの直列時の電気接続を実現することができる。そして、すべて本発明として保護される。
【００２１】
本発明は接続ブロック２及び導電片３を利用し、各単体電池１を積木のようにモジュール化直列或いは並列接続することができる。接続した電池組は電極間の溶接接続と電池間の組合固定をする必要はない。本発明は取扱が便利だけでなく、安全で信頼性も高い。そして、如何なる組合せを行って様々なバッテリーと電池組の電圧と容量の要求に応えられる。
【符号の説明】
【００２２】
１  電池
２  接続ブロック
２１  第一挿入溝
２２  第二挿入溝
２３  蟻溝
２４  蟻ブロック
２５  間隔リング
２６  貫通穴
３  導電片
３１  接触片
３２  クリップ
３３  Ｕ形引出片
３４  弾性片
【図１】
2010086965.tif 000003
【図２】
2010086965.tif 000004
【図３】
2010086965.tif 000005
【図４】
2010086965.tif 000006
【図５】
2010086965.tif 000007
【図６】
2010086965.tif 000008
【図７】
2010086965.tif 000009